(57)【要約】【課題】発揮される芳香消臭作用の強さを簡単に調整できる芳香消臭装置を提供すること。【解決手段】ケース１内に、液状の芳香消臭剤を収容した容器２と、容器２から供給された芳香消臭剤を蒸発させる蒸発部３と、蒸発した芳香消臭剤をケース１外へ放出させるファン４と、を備えた、芳香消臭装置において、ファン４を、蒸発部３に向けて上方から空気を吹付けて蒸発を促進させ得るように、設け、蒸発部３に対する空気の吹付け具合を制御する調整機構７を設け、調整機構７が、蒸発部３とファン４との間を仕切る仕切り板７１と、仕切り板７１に形成された開口部７２と、開口部７２を部分的に塞ぐとともに開口部７２内をスライド可能に設置されたスライド板７３と、で構成されていることを特徴としている。【選択図】　図１
2004065617.tif 000002
【特許請求の範囲】
【請求項１】
ケース内に、芳香消臭剤が蒸発し得る状態で存在している蒸発部と、蒸発した芳香消臭剤をケース外へ放出させるファンと、を備えた、芳香消臭装置であって、
ファンを、蒸発部に向けて空気を吹付けて蒸発を促進させ得るように、設け、蒸発部に対する空気の吹付け具合を制御する調整機構を設けたことを特徴とする芳香消臭装置。
【請求項２】
上記調整機構が、蒸発部とファンとの間を仕切る仕切り板と、該仕切り板に形成された開口部と、該開口部を部分的に塞ぐとともに開口部内をスライド可能に設置されたスライド板と、で構成されている、請求項１記載の芳香消臭装置。
【請求項３】
上記調整機構が、ファンと同芯でファンを覆うよう設けられた円筒フードと、円筒フードの一部に形成された切欠き部と、円筒フードを円周方向に任意の角度だけ回動させて固定する回動固定機構と、で構成されている、請求項１記載の芳香消臭装置。
【請求項４】
芳香消臭剤が液状のものであり、
蒸発部が、吸湿材に当該芳香消臭剤を吸湿させることにより構成されており、蒸発部には、容器に収容された当該芳香消臭剤が供給されるようになっている、請求項１記載の芳香消臭装置。
【請求項５】
芳香消臭剤がゲル状又は固体状のものであり、
蒸発部が、当該芳香消臭剤を表面が晒された状態で設置することにより構成されている、請求項１記載の芳香消臭装置。
【発明の詳細な説明】
【０００１】
【発明の属する技術分野】
本発明は、芳香消臭剤を蒸発させ放出して芳香消臭作用を発揮する芳香消臭装置に関するものである。
【０００２】
【従来技術及びその課題】
芳香消臭剤を蒸発させ放出して芳香消臭作用を発揮する芳香消臭装置において、発揮される芳香消臭作用の強さを簡単に調整できる装置は、従来、知られていなかった。
【０００３】
本発明は、発揮される芳香消臭作用の強さを簡単に調整できる芳香消臭装置を提供することを目的とする。
【０００４】
【課題を解決するための手段】
請求項１記載の発明は、ケース内に、芳香消臭剤が蒸発し得る状態で存在している蒸発部と、蒸発した芳香消臭剤をケース外へ放出させるファンと、を備えた、芳香消臭装置であって、ファンを、蒸発部に向けて空気を吹付けて蒸発を促進させ得るように、設け、蒸発部に対する空気の吹付け具合を制御する調整機構を設けたことを特徴としている。
【０００５】
請求項２記載の発明は、請求項１記載の発明において、上記調整機構が、蒸発部とファンとの間を仕切る仕切り板と、該仕切り板に形成された開口部と、該開口部を部分的に塞ぐとともに開口部内をスライド可能に設置されたスライド板と、で構成されているものである。
【０００６】
請求項３記載の発明は、請求項１記載の発明において、上記調整機構が、ファンと同芯でファンを覆うよう設けられた円筒フードと、円筒フードの一部に形成された切欠き部と、円筒フードを円周方向に任意の角度だけ回動させて固定する回動固定機構と、で構成されているものである。
【０００７】
請求項４記載の発明は、請求項１記載の発明において、芳香消臭剤が液状のものであり、蒸発部が、吸湿材に当該芳香消臭剤を吸湿させることにより構成されており、蒸発部には、容器に収容された当該芳香消臭剤が供給されるようになっているものである。
【０００８】
請求項５記載の発明は、請求項１記載の発明において、芳香消臭剤がゲル状又は固体状のものであり、蒸発部が、当該芳香消臭剤を表面が晒された状態で設置することにより構成されているものである。
【０００９】
なお、芳香消臭剤とは、芳香成分又は消臭成分又は芳香消臭成分を含有してなる薬剤である。
【００１０】
【発明の実施の形態】
（実施形態１）
図１は本実施形態の芳香消臭装置の内部構造を示す斜視図、図２は該装置の縦断面部分図である。この装置は、蓋１１及び本体１２からなるケース１内に、芳香消臭剤を蒸散させる蒸散機構を備えている。蓋１１は、その上面１１１の後縁にて、ヒンジ機構１３により、本体１２に対して開閉可能となっている。図１は蓋１１を本体１２から外した状態を示している。蓋１１を本体１２に対して閉じると、蒸散機構はケース１内に収納された状態となる。
【００１１】
蒸散機構は、容器２と、蒸発部３と、ファン４と、モータ５と、電源６と、調整機構７と、で構成されている。容器２は、液状の芳香消臭剤を収容している。蒸発部３は、吸湿材であるろ紙を浅い箱板内に敷き詰めて構成されており、水平に支持されている。なお、ろ紙以外の吸湿材を用いてもよい。蒸発部３からは、容器２内に繊維束（図示せず）が垂下している。容器２内の芳香消臭剤は、繊維束により吸い上げられて蒸発部３に行き渡るようになっている。ファン４は、モータ５の水平回転軸に固定されており、水平軸回りに矢印Ａ方向に回転して水平軸回りの空気の流れを生じさせるようになっている。ファン４の上方には上壁フード８１が、後方（本体１２側）にはファン４の円周に沿った円弧フード８２が、連続して設けられている。モータ５は、本体１２の内面に固定されている。電源６は電池である。
【００１２】
そして、調整機構７は、蒸発部３とファン４との間を仕切る仕切り板７１と、仕切り板７１に形成された開口部７２と、開口部７２を部分的に塞ぐとともに開口部７２内をスライド可能に設置されたスライド板７３と、で構成されている。仕切り板７１は、円弧フード８２に連続して水平に延びている。なお、開口部７２はファン４の直下に、また、蒸発部３は開口部７２の直下に、それぞれ、中心が鉛直線上に揃うように、位置している。
【００１３】
図３は開口部７２の拡大斜視図、図４は図３の分解図、図５は図３のＶ−Ｖ矢視の分解断面図である。開口部７２は、平面視で長方形に形成されている。開口部７２の前後方向に延びた両縁７２３には、段部７２４が縁７２３に沿って形成されている。スライド板７３は、その両縁７３１を段部７２４上に載置することにより、開口部７２内をスライド可能に設置されている。設置されたスライド板７３は仕切り板７１と同一面を構成している。スライド板７３の前縁７３２からは、下方に摘み部７３３が延びている。両縁７３１の前端部の下面には、突起７３４が形成されている。一方、段部７２４の上面には、突起７３４が嵌合する穴７２５が、前後方向適当間隔置きに、複数個形成されている。スライド板７３は、摘み部７３３を摘んで開口部７２内を前後方向（図３の矢印方向）にスライドさせ、任意の位置の穴７２５に突起７３４を嵌合させることによって位置決めされて、開口部７２内に設置されるようになっている。スライド板７３が設置されることにより、図３に示すように、開口部７２の開口７２１の寸法Ｌ３及び開口７２２の寸法Ｌ４が設定されることとなる。
【００１４】
次に、上記構成の芳香消臭装置の作動を主に図２を参照しながら説明する。
モータ５を作動させると、矢印Ａ方向にファン４が回転する。ファン４が回転すると、空気が、蓋１１の上面１１１のスリット１１２からケース１内に吸い込まれ、上壁フード８１及び円弧フード８２を横から乗り越え、ファン４周辺にて水平軸回りの矢印Ｂに示すような流れとなり、前面１１３のスリット１１４からケース１外へ放出される。このとき、空気の流れの一部が、矢印Ｃ，Ｄに示すように、開口７２１，７２２を通って蒸発部３に上方から吹付けられる。蒸発部３には容器２内の芳香消臭剤が行き渡っており、吹付けられた空気によって蒸発部３からの芳香消臭剤の蒸発が促進される。蒸発した芳香消臭剤は、空気の流れに載ってスリット１１４からケース１外へ放出される。これにより、上記構成の芳香消臭装置から、蒸発した芳香消臭剤が放出されて、芳香消臭作用が発揮されることとなる。
【００１５】
なお、矢印Ｂに示す空気の流れは、上壁フード８１及び円弧フード８２があるために、効率良く生成する。そのため、矢印Ｃ，Ｄに示す空気の流れも、効率良く生成する。
【００１６】
ところで、蒸発部３における芳香消臭剤の単位時間当たりの蒸発量が多いと、発揮される芳香消臭作用は強くなる。そして、蒸発部３における芳香消臭剤の単位時間当たりの蒸発量は、蒸発部３に対する空気の吹付け具合によって異なってくる。蒸発部３に対する空気の吹付け具合は、開口７２１，７２２の寸法Ｌ３，Ｌ４（図３）の大きさによって異なってくる。開口７２１，７２２の寸法Ｌ３，Ｌ４は、スライド板７３を開口部７２内でスライドさせて設置することにより、変えることができる。
【００１７】
従って、上記構成の芳香消臭装置においては、スライド板７３を開口部７２内でスライドさせて任意の位置に設置することにより、即ち、調整機構７によって調整を行うことにより、蒸発部３における芳香消臭剤の単位時間当たりの蒸発量を変えることができる。よって、上記構成の芳香消臭装置によれば、発揮される芳香消臭作用の強さを簡単に調整できる。
【００１８】
［実施例１］
実施形態１の芳香消臭装置による具体的な調整例を図６〜図９を用いて示す。なお、図６〜図９では、ファン４を模式的に示した。
・装置構成の具体値
・ファン４
・直径Ｄ（図６）：５７ｍｍ
・幅：２３ｍｍ
・羽根４１の枚数：１２枚
・回転数：約６００回／分
・仕切り板７１との距離ｄ１（図６）：０．２ｃｍ
・開口部７２
・奥行きＬ１（図４）：７０ｍｍ
・幅Ｗ１（図４）：２５ｍｍ
・スライド板７３
・長さＬ２（図４）：２５ｍｍ
・蒸発部３
・奥行き：７０ｍｍ
・幅：７０ｍｍ
・仕切り板７１との距離ｄ２（図６）：１ｃｍ
・ケース１
・縦２５ｃｍ×横９ｃｍ×奥行き９ｃｍ
・液状芳香消臭剤
・組成…・芳香消臭成分：１５重量％
・溶剤：３０重量％
・界面活性剤：５重量％
・水：５０重量％
【００１９】
・調整の具体値
図６〜図９に示すように、Ｌ３を４段階に設定した。即ち、図６はＬ３が１ｃｍの場合（第１調整例）、図７はＬ３が２ｃｍの場合（第２調整例）、図８はＬ３が３ｃｍの場合（第３調整例）、図９はＬ３が４ｃｍの場合（第４調整例）である。
【００２０】
モータ５を作動させてから３．５時間後の容器２における芳香消臭剤の減少量を測定した。その結果を表１に示す。表１では、図６の場合の減少量を１００として示した。なお、図６〜図９における矢印は空気の流れを示す。
【００２１】
【表１】
2004065617.tif 000003
【００２２】
表１からわかるように、Ｌ３が変われば、芳香消臭剤の減少量も変わっている。即ち、Ｌ３＝３ｃｍ（図８）の場合に減少量が最大となっており、Ｌ３＝４ｃｍ（図９）の場合、Ｌ３＝２ｃｍ（図７）の場合、Ｌ３＝１ｃｍ（図６）の場合の順に、減少量が小さくなっている。従って、例えば、図８の場合を「最大」、図９の場合を「大」、図７の場合を「中」、図６の場合を「小」と定めて、スライド板７３を設定すれば、それに対応して、芳香消臭作用の強さを、「最大」、「大」、「中」、「小」に調整できる。即ち、芳香消臭作用の強さを４段階に調整できる。
【００２３】
なお、スライド板７３のＬ２を、１０ｍｍ、２０ｍｍ、３０ｍｍとするとともに、Ｌ３を、上記と同様に、１ｃｍ、２ｃｍ、３ｃｍ、４ｃｍとした場合についても、同様に測定した。その結果を表２〜表４に示す。なお、表２〜表４でも、表１の図６の場合の減少量を１００として示した。
【００２４】
【表２】
2004065617.tif 000004
【００２５】
【表３】
2004065617.tif 000005
【００２６】
【表４】
2004065617.tif 000006
【００２７】
表１〜表４からわかるように、スライド板７３のＬ２がいずれの場合においても、４段階の調整を行うことができるが、Ｌ２＝２５ｍｍの場合が、「最大」と「小」との差が大きいので、好ましいと言える。
【００２８】
（実施形態２）
本実施形態は、実施形態１に比して、上壁フード８１及び円弧フード８２が無く、調整機構７が異なっている。なお、本実施形態のその他の構成は実施形態１と同じである。図１０は、本実施形態の芳香消臭装置の縦断面部分図であり、図２に相当する図である。図１１は同じく要部斜視図である。本実施形態の調整機構７は、ファン４と同芯でファン４を覆うよう設けられた円筒フード７５と、円筒フード７５の一部に形成された切欠き部７６と、円筒フード７５を円周方向に任意の角度だけ回動させて固定する回動固定機構７７（図１２）と、で構成されている。
【００２９】
切欠き部７６は、円筒フード７５を例えば円周角３５度分だけ切り欠いて形成されている。
【００３０】
図１２は円筒フード７５及びモータ５を前方から見た図であるが、切欠き部７６は省略している。回動固定機構７７は、図１２及び図１２のＸＩＩＩ矢視図である図１３に示すように、モータ５に摺動可能に外嵌した筒体７７１と、筒体７７１の内面に等間隔に形成された溝７７２と、モータ５の外面に形成され且つ溝７７２に嵌る突起７７３と、で構成されている。溝７７２と突起７７３とは、例えば４５度置きに嵌り合うようになっている。なお、蒸発部３は、円筒フード７５の直下に、それぞれの中心が鉛直線上に揃うように、位置している。
【００３１】
次に、上記構成の芳香消臭装置の作動を主に図１０を参照しながら説明する。モータ５を作動させると、矢印Ａ方向にファン４が回転する。ファン４が回転すると、空気が、蓋１１の上面１１１のスリット１１２からケース１内に吸い込まれ、円筒フード７５を横から乗り越え、ファン４周辺にて水平軸回りの矢印Ｅに示すような流れとなり、切欠き部７６を通り、前面１１３のスリット１１４からケース１外へ放出される。一方、蒸発部３には容器２内の芳香消臭剤が行き渡っており、蒸発部３からは芳香消臭剤が自然蒸発している。従って、蒸発した芳香消臭剤は、ファン４の回転に伴う空気の流れに引っ張られるようにしてスリット１１４からケース１外へ放出される。これにより、上記構成の芳香消臭装置から、蒸発した芳香消臭剤が放出されて、芳香消臭作用が発揮されることとなる。
【００３２】
ところで、蒸発部３における芳香消臭剤の単位時間当たりの蒸発量が多いと、発揮される芳香消臭作用は強くなる。そして、蒸発部３における芳香消臭剤の単位時間当たりの蒸発量は、蒸発部３に対する空気の吹付け具合によって異なってくる。蒸発部３に対する空気の吹付け具合は、切欠き部７６の位置によって異なってくる。切欠き部７６の位置は、円筒フード７５を回動させて固定することにより、変えることができる。
【００３３】
従って、上記構成の芳香消臭装置においては、円筒フード７５を任意の角度だけ回動させて固定することにより、即ち、調整機構７によって調整を行うことにより、蒸発部３における芳香消臭剤の単位時間当たりの蒸発量を変えることができる。よって、上記構成の芳香消臭装置によれば、発揮される芳香消臭作用の強さを簡単に調整できる。
【００３４】
［実施例２］
実施形態２の芳香消臭装置による具体的な調整例を図１４〜図１６を用いて示す。なお、図１４〜図１６では、ファン４を模式的に示した。
・装置構成の具体値
・ファン４
・直径Ｄ（図１４）：５７ｍｍ
・幅：２３ｍｍ
・羽根４１の枚数：１２枚
・回転数：約６００回／分
・円筒フード７５
・直径Ｄ１（図１４）：７７ｍｍ
・切欠き部７６：円周角３５度分
・蒸発部３との距離ｄ３（図１５）：１ｃｍ
・蒸発部３
・奥行き：７０ｍｍ
・幅：７０ｍｍ
・ケース１
・縦２５ｃｍ×横９ｃｍ×奥行き９ｃｍ
・液状芳香消臭剤
・組成…・芳香消臭成分：１５重量％
・溶剤：３０重量％
・界面活性剤：５重量％
・水：５０重量％
【００３５】
・調整の具体値
図１４〜図１６に示すように、切欠き部７６の位置を３段階に設定した。即ち、図１４は切欠き部７６の位置が真下（即ち角度０度）である場合（第１調整例）、図１５は切欠き部７６の位置が真下に対して前方４５度（即ち角度４５度）である場合（第２調整例）、図１６は切欠き部７６の位置が真下に対して前方９０度（即ち角度９０度）である場合（第３調整例）である。
【００３６】
モータ５を作動させてから３．５時間後の容器２における芳香消臭剤の減少量を測定した。その結果を表５に示す。表５では、図１４の場合の減少量を１００として示した。なお、図１４〜図１６における矢印は空気の流れを示す。
【００３７】
【表５】
2004065617.tif 000007
【００３８】
表５からわかるように、切欠き部７６の位置が変われば、芳香消臭剤の減少量も変わっている。減少量は、角度０度の場合（図１４）が最大となっており、角度９０度の場合（図１６）が最小となっている。従って、例えば、図１４の場合を「大」、図１５の場合を「中」、図１６の場合を「小」と定めて、切欠き部７６の位置を設定すれば、それに対応して、芳香消臭作用の強さを、「大」、「中」、「小」に調整できる。即ち、芳香消臭作用の強さを３段階に調整できる。
【００３９】
（別の実施形態）
（１）実施形態１，２では、液状の芳香消臭剤を用いているが、ゲル状又は固体状の芳香消臭剤を用いてもよい。
【００４０】
［実施例３］
本実施例は、実施形態１の芳香消臭装置において、ゲル状の芳香消臭剤を用いた場合である。図１７に示すように、ゲル状芳香消臭剤３１は、上に開いた横断面円形の容器９１内に入った状態で、実施形態１の蒸発部３及び容器２に代えて、設置されている。従って、本実施例における蒸発部３は、容器９１内のゲル状芳香消臭剤３１で構成されており、厳密には、ゲル状芳香消臭剤３１の空気に晒されている上面部分３１１である。
【００４１】
・装置構成の具体値
・ファン４、開口部７２、スライド板７３、及びケース１
・実施例１と同じ
・容器９１
・上開口直径：５６ｍｍ
・底面直径：５０ｍｍ
・高さ：５２ｍｍ
・仕切り板７１と上面部分３１１との距離ｄ２（図１７）：１ｃｍ
・ゲル状芳香消臭剤３１
・組成…・芳香成分：１５重量％
・溶剤：１０重量％
・水：７０重量％
・ゲル化剤：５重量％
【００４２】
・調整の具体値
Ｌ３を、１ｃｍ、２ｃｍ、３ｃｍ、４ｃｍの、４段階に設定した。
【００４３】
モータ５を作動させてから３．５時間後の容器９１におけるゲル状芳香消臭剤３１の減少量を測定した。その結果を表６に示す。表６では、Ｌ３＝１ｃｍの場合の減少量を１００として示した。
【００４４】
【表６】
2004065617.tif 000008
【００４５】
表６からわかるように、Ｌ３が変われば、芳香消臭剤の減少量も変わっている。即ち、Ｌ３＝３ｃｍの場合に減少量が最大となっており、Ｌ３＝４ｃｍの場合、Ｌ３＝２ｃｍの場合、Ｌ３＝１ｃｍの場合の順に、減少量が小さくなっている。従って、実施例１の場合と同様に、芳香消臭作用の強さを４段階に調整できる。
【００４６】
［実施例４］
本実施例は、実施形態１の芳香消臭装置において、固体状の芳香消臭剤を用いた場合である。図１８に示すように、固体状の芳香消臭剤３２は、円板状のものであり、実施形態１の蒸発部３及び容器２に代えて、載置台９２上に設置されている。従って、本実施例における蒸発部３は、円板状の固体状芳香消臭剤３２で構成されており、厳密には、固体状芳香消臭剤３２の空気に晒されている上面部分３２１及び側面部分３２２である。
【００４７】
・装置構成の具体値
・ファン４、開口部７２、スライド板７３、及びケース１
・実施例１と同じ
・固体状芳香消臭剤３２
・直径：４５ｍｍ
・厚さ：７ｍｍ
・仕切り板７１との距離ｄ２（図１８）：１ｃｍ
・組成…・芳香成分：６０重量％
・ケイ酸カルシウム：４０重量％
【００４８】
・調整の具体値
Ｌ３を、１ｃｍ、２ｃｍ、３ｃｍ、４ｃｍの、４段階に設定した。
【００４９】
モータ５を作動させてから３．５時間後の固体状芳香消臭剤３２の減少量を測定した。その結果を表７に示す。表７では、Ｌ３＝１ｃｍの場合の減少量を１００として示した。
【００５０】
【表７】
2004065617.tif 000009
【００５１】
表７からわかるように、Ｌ３が変われば、芳香消臭剤の減少量も変わっている。即ち、Ｌ３＝３ｃｍの場合に減少量が最大となっており、Ｌ３＝２ｃｍの場合、Ｌ３＝４ｃｍの場合、Ｌ３＝１ｃｍの場合の順に、減少量が小さくなっている。従って、実施例１の場合と同様に、芳香消臭作用の強さを４段階に調整できる。
【００５２】
（２）ゲル状芳香消臭剤３１や固体状芳香消臭剤３２は、実施形態２の芳香消臭装置においても、実施例３，４の場合と同様に蒸発部３及び容器２に代えて、用いてもよい。
【００５３】
（３）実施形態１，２の蒸発部３として、図１９に示すような、容器２から露出した芯材３３の部分３３１を用いてもよい。芯材３３は、容器２内の液状芳香消臭剤に浸漬されており、液状芳香消臭剤を吸い上げるようになっている。
【００５４】
（４）実施形態１の実施例１においては、スライド板７３の位置を４段階に設定しているが、その他の複数段階に設定してもよい。また、Ｌ３やＬ４が０となる設定を含めてもよい。
【００５５】
（５）実施形態２の実施例２においては、切欠き部７６の位置を３段階に設定しているが、その他の複数段階に設定してもよい。例えば、角度１０度毎に１０段階に設定してもよい。また、角度０度〜９０度の範囲だけでなく、０度〜３６０度までの範囲で設定してもよい。
【００５６】
（６）実施形態１，２の構成においては、蒸発部３を、ファン４の直下に、それぞれの中心が鉛直線上に揃うように、位置させているが、蒸発部３を、その中心をずらして、ファン４の直下より前側又は後側に位置させてもよい。
【００５７】
（７）実施形態１の構成において、上壁フード８１及び円弧フード８２の一方又は両方を無くしてもよい。
【００５８】
（８）実施形態１の構成においては、穴７２５に突起７３４を嵌合させることにより、スライド板７３を位置決めしているが、その他の構成により位置決めしてもよい。
【００５９】
（９）実施形態１の構成において、スライド板７３を位置決めせず、発揮される芳香消臭作用の強さとの兼ね合いを適宜観察しながら、スライド板７３を適当な位置に設置するようにしてもよい。
【００６０】
（１０）実施形態２の構成において、回動固定機構７７を、例えば、筒体７７１と、筒体７７１を貫通してモータ５の表面に圧接する止めねじ７７５と、で構成してもよい。
【００６１】
【発明の効果】
請求項１記載の発明によれば、調整機構により、蒸発部に対するファンからの空気の吹付け具合を制御できるので、蒸発部からの芳香消臭剤の単位時間当たりの蒸発量を制御でき、従って、発揮される芳香消臭作用の強さを調整できる。
【００６２】
請求項２記載の発明によれば、スライド板をスライドさせて開口部内の任意の位置を部分的に塞ぐことにより、開口部を通過する空気の流れ具合を制御できるので、蒸発部に対する空気の吹付け具合を制御できる。従って、蒸発部からの芳香消臭剤の単位時間当たりの蒸発量を制御でき、それ故、発揮される芳香消臭作用の強さを調整できる。
【００６３】
請求項３記載の発明によれば、円筒フードを回動させて固定することにより切欠き部の位置を任意に設定できるので、切欠き部を通過して蒸発部に至る空気の流れ具合を制御でき、それ故、蒸発部に対する空気の吹付け具合を制御できる。従って、蒸発部からの芳香消臭剤の単位時間当たりの蒸発量を制御でき、それ故、発揮される芳香消臭作用の強さを調整できる。
【００６４】
請求項４又は５に記載の発明によれば、液状又はゲル状又は固体状の芳香消臭剤を用いた場合でも、発揮される芳香消臭作用の強さを調整できる。
【図面の簡単な説明】
【図１】実施形態１の芳香消臭装置の内部構造を示す斜視図である。
【図２】実施形態１の芳香消臭装置の縦断面部分図である。
【図３】実施形態１における開口部の拡大斜視図である。
【図４】図３の分解図である。
【図５】図３のＶ−Ｖ矢視の分解断面図である。
【図６】実施例１における第１調整例を示す縦断面部分図である。
【図７】実施例１における第２調整例を示す縦断面部分図である。
【図８】実施例１における第３調整例を示す縦断面部分図である。
【図９】実施例１における第４調整例を示す縦断面部分図である。
【図１０】実施形態２の芳香消臭装置の縦断面部分図である。
【図１１】実施形態２の芳香消臭装置の要部斜視図である。
【図１２】実施形態２における円筒フード及びモータを前方から見た図である。
【図１３】図１２のＸＩＩＩ矢視図である。
【図１４】実施例２における第１調整例を示す縦断面部分図である。
【図１５】実施例２における第２調整例を示す縦断面部分図である。
【図１６】実施例２における第３調整例を示す縦断面部分図である。
【図１７】実施例３の芳香消臭装置の縦断面部分図である。
【図１８】実施例４の芳香消臭装置の縦断面部分図である。
【図１９】更に別の例の蒸発部を備えた芳香消臭装置の縦断面部分図である。
【符号の説明】
１　ケース
２　容器
３　蒸発部
３１　ゲル状芳香消臭剤
３２　固体状芳香消臭剤
４　ファン
７　調整機構
７１　仕切り板
７２　開口部
７３　スライド板
７５　円筒フード
７６　切欠き部
７７　回動固定機構
【図１】
2004065617.tif 000010
【図２】
2004065617.tif 000011
【図３】
2004065617.tif 000012
【図４】
2004065617.tif 000013
【図５】
2004065617.tif 000014
【図６】
2004065617.tif 000015
【図７】
2004065617.tif 000016
【図８】
2004065617.tif 000017
【図９】
2004065617.tif 000018
【図１０】
2004065617.tif 000019
【図１１】
2004065617.tif 000020
【図１２】
2004065617.tif 000021
【図１３】
2004065617.tif 000022
【図１４】
2004065617.tif 000023
【図１５】
2004065617.tif 000024
【図１６】
2004065617.tif 000025
【図１７】
2004065617.tif 000026
【図１８】
2004065617.tif 000027
【図１９】
2004065617.tif 000028